(57)【要約】  上下方向および左右方向に風向きが切替可能な上下ベーンおよび左右ベーンを有する吹き出し口と、マトリックス配列される複数の風向ボタン（１０１〜１６５）を有し、上下ベーンおよび左右ベーンの風向きを指定する風向指定部（１００）を有する操作装置（４０）と、複数の風向ボタン（１０１〜１６５）と上下ベーンおよび左右ベーンの風向きとが対応付けられ、風向ボタン（１０１〜１６５）が操作されると、対応付けに基づいて上下ベーンおよび左右ベーンの風向きを制御する制御部とを備える。
2020188771.tif 000002
【特許請求の範囲】
【請求項１】
上下方向および左右方向に風向きが切替可能な風向き切替部を有する吹き出し口と、
ユーザから見て左右方向である第１方向および前記第１方向に垂直であってユーザから見て上下方向である第２方向にマトリックス配列される複数の風向ボタンを有し、前記風向き切替部の風向きを指定する風向指定部を有する操作装置と、
前記マトリックスの前記第１方向の中央位置から左に配置された複数の風向ボタンが左方向への風向きを指定し、前記第１方向の中央位置から右に配置された複数の風向ボタンが右方向への風向きを指定し、前記第１方向の中央位置から前記第１方向への配置位置が離れるに伴い左右方向の風向き角度が大きくなり、前記第２方向の中央位置から上に配置された複数の風向ボタンが上方向への風向きを指定し、前記第２方向の中央位置から下に配置された複数の風向ボタンが下方向への風向きを指定し、前記第２方向の中央位置から前記第２方向への配置位置が離れるに伴い上下方向の風向き角度が大きくなるように、前記複数の風向ボタンと前記風向き切替部の風向きとが対応付けられ、前記風向ボタンが操作されると、前記対応付けに基づいて前記風向き切替部の風向きを制御する制御部と、
を備える空気調和機。
【請求項２】
前記制御部は、第１の風向ボタンから第２の風向ボタンを経由した第３の風向ボタンまでへのスライド操作を検出すると、前記第１の風向ボタンに対応する第１の風向きから前記第２の風向ボタンに対応する第２の風向き、前記第３の風向ボタンに対応する第３の風向き、前記第２の風向ボタンに対応する第２の風向きを経由して前記第１の風向ボタンに対応する第１の風向きまで前記風向き切替部の風向きを切り替える第１の動作を繰り返し実行する請求項１に記載の空気調和機。
【請求項３】
前記制御部は、第４の風向ボタンから第５の風向ボタンを経由した前記第４の風向ボタンまでへのスライド操作を検出すると、前記第４の風向ボタンに対応する第４の風向きから前記第５の風向ボタンに対応する第５の風向きを経由して前記第４の風向ボタンに対応する第４の風向きまで前記風向き切替部の風向きを切り替える第２の動作を繰り返し実行する請求項１または２に記載の空気調和機。
【請求項４】
前記風向き切替部は、上下方向に風向きの切替が可能な第１のベーンと、前記第１のベーンの下側に配置され、上下方向に風向きの切替が可能な第２のベーンと、左右方向に風向きの切替が可能な第３のベーンと、前記第３のベーンの右側に配置され、左右方向に風向きの切替が可能な第４のベーンとを有し、
前記制御部は、前記複数の風向ボタンのうちの２つのボタンである第６の風向ボタンおよび第７の風向ボタンの同時操作を検出すると、前記第６の風向ボタンおよび前記第７の風向ボタンのうちの上側に配置されている一方の風向ボタンに対応する風向きとなるように前記第１のベーンを制御し、前記第６の風向ボタンおよび前記第７の風向ボタンのうちの下側に配置されている他方の風向ボタンに対応する風向きとなるように前記第２のベーンを制御し、前記第６の風向ボタンおよび前記第７の風向ボタンのうちの左側に配置されている一方の風向ボタンに対応する風向きとなるように前記第３のベーンを制御し、前記第６の風向ボタンおよび前記第７の風向ボタンのうちの右側に配置されている他方の風向ボタンに対応する風向きとなるように前記第４のベーンを制御する請求項１から３の何れか一つに記載の空気調和機。
【請求項５】
前記複数の風向ボタンは、発光素子を夫々有し、操作に応じて対応する発光素子が発光と非発光とを切り替える請求項１から４の何れか一つに記載の空気調和機。
【請求項６】
人の存在を検出する人感センサを更に備え、
前記制御部は、前記複数の風向ボタンのうちの前記人感センサによって検出された人の位置に対応する風向ボタンである第８の風向ボタンに対応する発光素子を発光して人の位置を表示する請求項５に記載の空気調和機。
【請求項７】
前記操作装置によって人に対する送風を避ける風向き自動モードが指定されると、前記制御部は、前記第８の風向ボタンに対応する発光素子を発光して人の位置を表示し、表示された人の位置を避けて送風されている状態を前記複数の風向ボタン上に表示する請求項６に記載の空気調和機。
【請求項８】
前記操作装置によって人に対して送風するモードが指定されると、前記制御部は、前記第８の風向ボタンに対応する発光素子を発光して人の位置を表示し、表示された人の位置に向かって送風されている状態を前記複数の風向ボタン上に表示する請求項６または７に記載の空気調和機。
【請求項９】
前記制御部は、複数の前記第８の風向ボタンに対応する複数の発光素子が発光しているときに、複数の前記第８の風向ボタンのうちの１つである第９の風向ボタンが操作されると、前記第９の風向ボタンに対応する位置に対して送風するように前記風向き切替部を制御する請求項８に記載の空気調和機。
【請求項１０】
前記操作装置は、ユーザが指定した風向きを保存するためのお気に入りボタンを有する請求項１から９の何れか一つに記載の空気調和機。
【発明の詳細な説明】
【技術分野】
【０００１】
本発明は、風向きが上下左右に切替え可能な空気調和機に関するものである。
【背景技術】
【０００２】
タッチパネルを使用したリモートコントローラによって風向きを操作可能な空気調和機が提案されている。【０００３】
特許文献１においては、リモートコントローラのタッチパネルに、エアコン、エアコンからの風の吹き出しおよび室内空間を表示し、表示された風の吹き出しをユーザが指でタッチし、上下左右方向にスライドさせることで風向きを指定している。
【先行技術文献】
【特許文献】
【０００４】
【特許文献１】特開２０１３−０７６４９３号公報
【発明の概要】
【発明が解決しようとする課題】
【０００５】
特許文献１では、タッチパネルに表示されている風の吹き出しをユーザが指でタッチし、所望の方向にスライドさせることで風向きを調整している。このため、特許文献１においては、ユーザが所望の風向きを指定するためには、現在の風の吹き出しがタッチパネル上にグラフィック表示される必要がある。【０００６】
本発明は、上記に鑑みてなされたものであって、現在の風の吹き出しをグラフィック表示することなく、ユーザが希望する風向きを直感的に指定可能である空気調和機を得ることを目的とする。
【課題を解決するための手段】
【０００７】
上述した課題を解決し、目的を達成するために、本発明は、上下方向および左右方向に風向きが切替可能な風向き切替部を有する吹き出し口と、ユーザから見て左右方向である第１方向および第１方向に垂直であってユーザから見て上下方向である第２方向にマトリックス配列される複数の風向ボタンを有し、風向き切替部の風向きを指定する風向指定部を有する操作装置と、マトリックスの第１方向の中央位置から左に配置された複数の風向ボタンが左方向への風向きを指定し、第１方向の中央位置から右に配置された複数の風向ボタンが右方向への風向きを指定し、第１方向の中央位置から第１方向への配置位置が離れるに伴い左右方向の風向き角度が大きくなり、第２方向の中央位置から上に配置された複数の風向ボタンが上方向への風向きを指定し、第２方向の中央位置から下に配置された複数の風向ボタンが下方向への風向きを指定し、第２方向の中央位置から第２方向への配置位置が離れるに伴い上下方向の風向き角度が大きくなるように、複数の風向ボタンと風向き切替部の風向きとが対応付けられ、風向ボタンが操作されると、対応付けに基づいて風向き切替部の風向きを制御する制御部とを備える。
【発明の効果】
【０００８】
本発明によれば、現在の風の吹き出しがグラフィック表示されることなく、ユーザが希望する風向きを直感的に指定可能であるという効果を奏する。
【図面の簡単な説明】
【０００９】
【図１】実施の形態の空気調和機を正面から見た模式図
【図２】左右ベーンを上から見た模式図
【図３】上下ベーンを横から見た模式図
【図４】操作装置のボタン配置を示す図
【図５】操作装置の断面図
【図６】空気調和機の制御ブロック図
【図７】操作装置の風向指定部に対する操作を示す図
【図８】検出部および制御部を実現するハードウェア構成を示す図
【発明を実施するための形態】
【００１０】
以下に、本発明の実施の形態にかかる空気調和機を図面に基づいて詳細に説明する。なお、この実施の形態によりこの発明が限定されるものではない。
【００１１】
実施の形態．
図１は、実施の形態に係る空気調和機１を模式的に示す図である。図１は、空気調和機１を正面から見ている。この空気調和機１は、床に配置される床置き型の空気調和機である。壁、天井に設置される空気調和機に本発明を適用してもよい。空気調和機１は室内機を示しており、室外機の図示は省略する。室外機を有さない空気調和機に本発明を適用してもよい。空気調和機１の筐体３０の上部に、吹き出し口１０、２０が設けられている。吹き出し口１０は上段の吹き出し口であり、吹き出し口２０は下段の吹き出し口である。図１では、２つの上下２段の吹き出し口１０、２０を有するようにしたが、吹き出し口は、１つであってもよいし、３つ以上であっても良い。
【００１２】
吹き出し口１０、２０には、左右方向の風向きを調整する４つの左右ベーン１１ａ〜１１ｄと、上下方向の風向きを調整する４つの上下ベーン１２ａ〜１２ｄとが配置されている。ベーンの個数は、上記の例の個数に限定されない。左右ベーン１１ａ〜１１ｄは、筐体３０に対し縦方向に伸びる回動軸を中心に左右に回動する。上下ベーン１２ａ〜１２ｄは、筐体３０に対し横方向に伸びる回動軸を中心に上下に回動する。
【００１３】
図２は、４つの左右ベーン１１ａ〜１１ｄを上から見た概念図である。この実施の形態では、図２に示すように、左側の２つの左右ベーン１１ａ、１１ｂは、同じモータによって一体的に左右に同時に回動される。すなわち、左側の２つの左右ベーン１１ａ、１１ｂは同じ角度になるように制御される。同様に、右側の左右ベーン１１ｃ、１１ｄは、同じモータによって一体的に左右に同時に回動される。すなわち、右側の左右ベーン１１ｃ、１１ｄは、同じ角度になるように制御される。また、左側の２つの左右ベーン１１ａ、１１ｂと、右側の２つの左右ベーン１１ｃ、１１ｄとは、別のモータによって独立に駆動制御される。したがって、左側の２つの左右ベーン１１ａ、１１ｂと、右側の２つの左右ベーン１１ｃ、１１ｄとを、同じ角度に制御することもできるし、図２に示すように、異なる角度に制御することもできる。各左右ベーン１１ａ〜１１ｄは、左右方向の風向きを複数段階に設定することが可能である。この実施形態では、後述するが、左右ベーン１１ａ〜１１ｄは、夫々、最も左向き、中程度左向き、少し左向き、正面向き、少し右向き、中程度右向き、最も右向きを含む７段階に左右角度を調整することが可能である。
【００１４】
図３は、４つの上下ベーン１２ａ〜１２ｄを横から見た概念図である。上側の２つの上下ベーン１２ａ、１２ｂは、同じモータによって一体的に上下に回動される。すなわち、上側の２つの上下ベーン１２ａ、１２ｂは同じ角度になるように制御される。同様に、下側の上下ベーン１２ｃ、１２ｄは、同じモータによって一体的に上下に回動される。すなわち、下側の上下ベーン１２ｃ、１２ｄは、同じ角度になるように制御される。上側の２つの上下ベーン１２ａ、１２ｂと、下側の２つの上下ベーン１２ｃ、１２ｄとは、別のモータによって独立に駆動制御される。したがって、上側の２つの上下ベーン１２ａ、１２ｂと、下側の２つの上下ベーン１２ｃ、１２ｄとを、同じ角度に制御することもできるし、図３に示すように、異なる角度に制御することもできる。各上下ベーン１２ａ〜１２ｄは、上下方向の風向きを複数段階に設定することが可能である。この実施形態では、後述するが、上下ベーン１２ａ〜１２ｄは、夫々、最も上向き、少し上向き、正面向き、少し下向き、最も下向きを含む５段階に上下角度を調整することが可能である。
【００１５】
空気調和機１は、人の存在を検出する人感センサ１５を更に有する。人感センサ１５は、空気調和機１の筐体３０の正面に設けられている。例えば、人感センサ１５は、人の位置及び体温を検出する。空気調和機１は、ユーザが空気調和機１を操作するための空気調和機の操作装置４０を有する。操作装置４０は、空気調和機１の筐体３０の正面に設けられている。操作装置４０を、空気調和機１の筐体３０の上面、側面、内部に設けるようにしてもよい。近年、リモートコントローラ、スマートフォンなどでエアコンを操作することが一般的であるが、床置きタイプのエアコンにおいては、室内機本体に操作装置４０がある方が、リモコンなどを探すことなくユーザが操作できるため便利である。しかし、リモートコントローラに後述する操作装置４０の機能を搭載しても良い。
【００１６】
図４は、操作装置４０を模式的に示す図である。操作装置４０は、空気調和機１の電源をオン、オフする運転ボタン１８０と、冷房運転を指定する冷房ボタン１８１と、暖房運転を指定する暖房ボタン１８２と、送風運転を指定する送風ボタン１８３と、お気に入りボタン１９０と、風速ボタン１８５〜１８８と、風向指定部１００と、風向自動ボタン１９１と、風避けボタン１９２と、風当てボタン１９３と、風速自動ボタン１９４を有する。お気に入りボタン１９０は、ユーザがよく使う運転モードを保存するためのボタンである。風速ボタン１８５〜１８８は、風速の強弱を４段階に指定するためのボタンである。風向自動ボタン１９１は、風向き自動モードを指定するためのボタンである。風避けボタン１９２は、人を避ける風向き運転を指定するためのボタンである。風当てボタン１９３は、人に風を当てる風向き運転を指定するためのボタンである。風速自動ボタン１９４は、風速自動モードを指定するためのボタンである。
【００１７】
風向指定部１００は、複数の行および複数の列を有するようにマトリックス配列された複数の風向ボタン１０１〜１６５を有する。風向指定部１００における複数の風向ボタン１０１〜１６５のマトリックス配列は、吹き出し口１０、２０での位置関係に対応している。この実施の形態では、風向指定部１００は、５行×７列で、計３５個の風向ボタン１０１〜１６５を有する。図４に示されているように、風向ボタン１０１〜１６５の上下方向の配置位置が上下ベーン１２ａ〜１２ｄの上下方向の風向きに対応する。上下方向に対しては５行で配列されており、上下方向の配置位置によって、上下ベーン１２ａ〜１２ｄの５段階の上下角度を指定することができる。また、風向ボタン１０１〜１６５の左右方向の配置位置が左右ベーン１１ａ〜１１ｄの左右方向の風向きに対応する。水平方向に対しては７列で配列されており、水平方向の配置位置によって、左右ベーン１１ａ〜１１ｄの７段階の左右角度を指定することができる。すなわち、この風向指定部１００においては、３５個の風向ボタン１０１〜１６５によって、吹き出し口１０、２０での３５種類の風向きの指定が可能である。
【００１８】
最も上側に配列される風向ボタン１０１、１１１、１２１、１３１、１４１、１５１、１６１は、上下ベーン１２ａ〜１２ｄを最も上側の角度に設定し、風向きを最も上向きに設定する。上から２行目に配列される風向ボタン１０２、１１２、１２２、１３２、１４２、１５２、１６２は、上下ベーン１２ａ〜１２ｄを少し上向きの角度に設定し、風向きを少し上向きに設定する。真ん中の行に配列される風向ボタン１０３、１１３、１２３、１３３、１４３、１５３、１６３は、上下ベーン１２ａ〜１２ｄを真ん中の角度に設定し、風向きを正面向きに設定する。下から２行目に配列される風向ボタン１０４、１１４、１２４、１３４、１４４、１５４、１６４は、上下ベーン１２ａ〜１２ｄを少し下向きの角度に設定し、風向きを少し下向きに設定する。最も下側に配列される風向ボタン１０５、１１５、１２５、１３５、１４５、１５５、１６５は、上下ベーン１２ａ〜１２ｄを最も下側の角度に設定し、風向きを最も下向きに設定する。
【００１９】
真ん中の列に配列される風向ボタン１３１、１３２、１３３、１３４、１３５は、左右ベーン１１ａ〜１１ｄを真ん中の角度に設定し、風向きを正面向きに設定する。真ん中の列から１列右側に配列される風向ボタン１４１、１４２、１４３、１４４、１４５は、左右ベーン１１ａ〜１１ｄを少し右向きの角度に設定し、風向きを少し右向きに設定する。真ん中の列から２列右側に配列される風向ボタン１５１、１５２、１５３、１５４、１５５は、左右ベーン１１ａ〜１１ｄを中程度右向きの角度に設定し、風向きを中程度右向きに設定する。最も右側の列に配列される風向ボタン１６１、１６２、１６３、１６４、１６５は、左右ベーン１１ａ〜１１ｄを最も右向きの角度に設定し、風向きを最も右向きに設定する。真ん中の列から１列左側に配列される風向ボタン１２１、１２２、１２３、１２４、１２５は、左右ベーン１１ａ〜１１ｄを少し左向きの角度に設定し、風向きを少し左向きに設定する。真ん中の列から２列左側に配列される風向ボタン１１１、１１２、１１３、１１４、１１５は、左右ベーン１１ａ〜１１ｄを中程度左向きの角度に設定し、風向きを中程度左向きに設定する。最も左側の列に配列される風向ボタン１０１、１０２、１０３、１０４、１０５は、左右ベーン１１ａ〜１１ｄを最も左向きの角度に設定し、風向きを最も左向きに設定する。
【００２０】
したがって、例えば、風向ボタン１１２が操作されたとき、風向きは、少し上向きの角度であって中程度左向きの角度に設定される。同様に、風向ボタン１３３が操作されたときは、風向きは、上下方向および左右方向について正面向きに設定される。
【００２１】
また、この風向指定部１００では、スライド操作および２つの風向ボタンの同時操作が可能である。また、この風向指定部１００は、室内空間での人の位置、人の位置に対する相対的に風向きを表示することが可能である。室内空間を、図１に示した操作装置４０のパネル面と平行な面で切った状態が、風向指定部１００の二次元平面に対応する。例えば、左上の風向ボタン１０１は、室内空間の左上の位置を示している。その詳細は、後述する。
【００２２】
図５は、実施の形態に係る空気調和機の操作装置４０の一部の断面を模式的に示す図である。操作装置４０は、静電容量式のタッチパネルによって構成されている。静電容量式のタッチパネルでは、ユーザの指が操作装置４０に近づくと静電容量が変化する。そのため、ユーザの指が複数のボタンの上をスライドしたこと及び指が複数のボタンのうちのいずれかのボタンを押下したことが検出可能である。操作装置４０は、透明でユーザの指がタッチされるパネル３０１と、各ボタンに対応する電極３０２と、パネル３０１より内側に位置するフィルム３０６とを有する。電極３０２は、パネル３０１とフィルム３０６とによって挟まれている。操作装置４０は、フィルム３０６より内側に位置する基板３０５と、基板３０５に設けられている発光素子３０４とを更に有する。発光素子３０４は、電極３０２毎に設けられている。操作装置４０は、電極３０２と基板３０５とを接続する電気配線３０３を更に有する。
【００２３】
ユーザの指がボタンにタッチされると静電容量が変化するので、タッチされたボタンに対応する発光素子３０４に印加される電圧が変化し、発光素子３０４は点灯（発光）する。したがって、図４の操作装置４０においては、タッチされたボタンは発光する。発光素子３０４は、単色でもよいが３色ＬＥＤを使用することで、多くの表現が可能となる。
【００２４】
図６は、実施の形態に係る空気調和機１の構成の一部を示す図である。空気調和機１は、操作装置４０と、操作装置４０でのユーザ操作を検出する検出部４１と、検出部４１で検出されたユーザ操作に応じて左右ベーン１１ａ〜１１ｄおよび上下ベーン１２ａ〜１２ｄを制御する制御部４５とを有する。
【００２５】
制御部４５は、風向指定部１００の複数の風向ボタン１０１〜１６５と、左右ベーン１１ａ〜１１ｄおよび上下ベーン１２ａ〜１２ｄの設定角度との対応関係が設定された対応テーブルを有している。制御部４５は、ユーザによってタッチされた風向ボタンを特定する情報を検出部４１から取得し、取得した情報と対応テーブルとに基づいて左右ベーン１１ａ〜１１ｄおよび上下ベーン１２ａ〜１２ｄを制御する。対応テーブルでの対応関係に関しては、前述した通りである。例えば、風向ボタン１１２は、少し上向きの角度であって中程度左向きである風向きに対応付けられ、風向ボタン１３３は、上下方向および左右方向について正面向きに対応付けられる。
【００２６】
図７は、操作装置４０の風向指定部１００に対する操作を示す図である。図７を用いて風向指定部１００におけるスライド操作および同時２ボタン操作について説明する。まず、スライド操作について説明する。まず、スライド操作の始点である風向ボタンと、操作の終点である風向ボタンが異なるスライド操作について説明する。左下の風向ボタン１０５を始点として左上の風向ボタン１０１を経由点とする矢印Ａ１に示すスライド操作を行い、その後、左上の風向ボタン１０１を経由点とし右上の風向ボタン１０６を終点とする矢印Ａ２で示すスライド操作を行った場合を想定する。この場合、制御部４５は、第１のスイング動作と第２のスイング動作とを交互に繰り返し実行する。第１のスイング動作においては、風向ボタン１０５に対応する風向き、風向ボタン１０４に対応する風向き、風向ボタン１０３に対応する風向き、風向ボタン１０２に対応する風向き、風向ボタン１０１に対応する風向き、風向ボタン１１１に対応する風向き、風向ボタン１２１に対応する風向き、風向ボタン１３１に対応する風向き、風向ボタン１４１に対応する風向き、風向ボタン１５１に対応する風向き、風向ボタン１６１に対応する風向きへと風向きが順番に切り替わる。第２のスイング動作においては、風向ボタン１６１に対応する風向きから風向ボタン１５１に対応する風向き、風向ボタン１４１に対応する風向き、風向ボタン１３１に対応する風向き、風向ボタン１２１に対応する風向き、風向ボタン１１１に対応する風向き、風向ボタン１０１に対応する風向き、風向ボタン１０２に対応する風向き、風向ボタン１０３に対応する風向き、風向ボタン１０４に対応する風向き、風向ボタン１０５に対応する風向きへと、風向きが第１のスイング動作とは逆順に切り替わる。すなわち、最も左向きかつ最も下向き→最も左向きかつ少し下向き→最も左向きかつ正面向き→最も左向きかつ少し上向き→最も左向きかつ最も上向き→中程度左向きかつ最も上向き→少し左向きかつ最も上向き→正面向きかつ最も上向き→少し右向きかつ最も上向き→中程度右向きかつ最も上向き→最も右向きかつ最も上向きと風向きが変化する第１のスイング動作と、第１のスイング動作と逆順で風向きが変化する第２のスイング動作とが繰り返し実行される。
【００２７】
このようなスライド操作が行われたときには、タッチされた風向ボタンに対応する発光素子が点灯される。すなわち、風向ボタン１０１〜１０５、１１１〜１６１がタッチされた順番に点灯される。また、スライド操作が終了して、指が風向指定部１００から離れたとき、タッチされた風向ボタン１０１〜１０５、１１１〜１６１が点滅し、スイングモードを確定したことをユーザに知らせている。
【００２８】
このように、第１の風向ボタンから第２の風向ボタンを経由した第３の風向ボタンまでへのスライド操作を検出すると、第１の風向ボタンに対応する第１の風向きから第２の風向ボタンに対応する第２の風向き、第３の風向ボタンに対応する第３の風向き、第２の風向ボタンに対応する第２の風向きを経由して第１の風向ボタンに対応する第１の風向きまで風向きが切り替えられる第１の動作が繰り返し実行される。
【００２９】
つぎに、操作の始点である風向ボタンと、操作の終点である風向ボタンとが一致するスライド操作について説明する。矢印Ｂ１およびＢ２で示すスライド操作を行った場合を想定する。このスライド操作では、風向ボタン１３３を始点とし、風向ボタン１３２、風向ボタン１４２、風向ボタン１５２、風向ボタン１５３、風向ボタン１５４、風向ボタン１４４、および風向ボタン１３４を経由点とし、風向ボタン１３３を終点としている。この場合、制御部４５は、風向ボタン１３３に対応する風向き（正面）→風向ボタン１３２に対応する風向き（正面かつ少し上向き）→風向ボタン１４２に対応する風向き（少し右向きかつ少し上向き）→風向ボタン１５２に対応する風向き（中程度右向きかつ少し上向き）→風向ボタン１５３に対応する風向き（中程度右向きかつ正面）→風向ボタン１５４に対応する風向き（中程度右向きかつ少し下向き）→風向ボタン１４４に対応する風向き（少し右向きかつ少し下向き）→風向ボタン１３４に対応する風向き（正面かつ少し下向き）→風向ボタン１３３に対応する風向き（正面）というように風向きを切り替える。
【００３０】
このようなスライド操作が行われたときには、タッチされた風向ボタンに対応する発光素子が点灯される。すなわち、風向ボタン１３３、１３２、１４２、１５２、１５３、１５４、１４４、１３４がタッチされた順番に点灯される。また、スライド操作が終了して、指が風向指定部１００から離れたとき、タッチされた風向ボタン１３３、１３２、１４２、１５２、１５３、１５４、１４４、１３４が点滅し、スイングモードを確定したことをユーザに知らせている。
【００３１】
このように、第４の風向ボタンから第５の風向ボタンを経由した第４の風向ボタンまでへのスライド操作を検出すると、第４の風向ボタンに対応する第４の風向きから第５の風向ボタンに対応する第５の風向きを経由して第４の風向ボタンに対応する第４の風向きまで風向きが切り替えられる第２の動作が繰り返し実行される。
【００３２】
つぎに、同時に２つの風向ボタンがタッチされる同時２ボタン操作について説明する。矢印Ｃ１およびＣ２で示す同時２ボタン操作を行った場合を想定する。なお、矢印Ｃ１およびＣ２は、便宜上、右下方向を向いているが右下方向に意味はなく、１つの風向ボタンがタッチされたことを単に示しているに過ぎない。上下方向に異なる２つの行の風向ボタンが同時にタッチされた場合、上側の行でタッチされた風向ボタンが上側の２つの上下ベーン１２ａ、１２ｂに対する上下の風向きを指示し、下側の行でタッチされた風向ボタンが下側の２つの上下ベーン１２ｃ、１２ｄに対する上下の風向きを指示している。矢印Ｃ１では、風向ボタン１１２がタッチされ、矢印Ｃ２では、風向ボタン１１４がタッチされている。上側の２つの上下ベーン１２ａ、１２ｂは、風向ボタン１１２に対応する少し上向きの風向きに設定され、下側の２つの上下ベーン１２ｃ、１２ｄは、風向ボタン１１４に対応する少し下向きの風向きに設定される。図３では、上側の上下ベーン１２ａ、１２ｂが少し上向きの風向きに設定され、下側の上下ベーン１２ｃ、１２ｄは、少し下向きの風向きに設定されて、風向きは上下ワイド気流モードとなっている。左右ベーン１１ａ〜１１ｄは、風向ボタン１１２、１１４に対応する中程度左向きに設定される。
【００３３】
つぎに、矢印Ｄ１およびＤ２で示す同時２ボタン操作を行った場合を想定する。左右方向に異なる２つの列の風向ボタンが同時にタッチされた場合、左側の列でタッチされた風向ボタンが左側の２つの左右ベーン１１ａ、１１ｂに対する左右の風向きを指示し、右側の列でタッチされた風向ボタンが右側の２つの左右ベーン１１ｃ、１１ｄに対する左右の風向きを指示している。矢印Ｄ１では、風向ボタン１１５がタッチされ、矢印Ｄ２では、風向ボタン１５５がタッチされている。左側の２つの左右ベーン１１ａ、１１ｂは、風向ボタン１１５に対応する中程度左向きの風向きに設定され、右側の２つの左右ベーン１１ｃ、１１ｄは、風向ボタン１５５に対応する中程度右向きの風向きに設定される。図２では、左側の左右ベーン１１ａ、１１ｂが中程度左向きの風向きに設定され、右側の左右ベーン１１ｃ、１１ｄは、中程度右向きの風向きに設定されて、風向きは左右ワイド気流モードとなっている。上下ベーン１２ａ〜１２ｄは、風向ボタン１１５、１６５に対応する最も下向きに設定される。
【００３４】
矢印Ｃ１、Ｃ２に示す同時２ボタン操作または矢印Ｄ１、Ｄ２に示す同時２ボタン操作においては、上下ベーン１２ａ〜１２ｄおよび左右ベーン１１ａ〜１１ｄのうちのどちらかが同じ角度となる位置の風向ボタンを例示したが、上下ベーンと左右ベーンの両方とも異なる位置となる風向ボタンを押した場合は、上側の２つの上下ベーン１２ａ、１２ｂと下側の２つの上下ベーン１２ｃ、１２ｄとが別の向きとなり、かつ左側の２つの左右ベーン１１ａ、１１ｂと、右側の２つの左右ベーン１１ｃ、１１ｄとが別の向きとなることとなる。
【００３５】
すなわち、複数の風向ボタンのうちの２つのボタンである第６の風向ボタンおよび第７の風向ボタンの同時操作が検出されると、第６の風向ボタンおよび第７の風向ボタンのうちの上側に配置されている一方の風向ボタンに対応する風向きとなるように上側の２つの上下ベーン１２ａ、１２ｂが制御され、第６の風向ボタンおよび第７の風向ボタンのうちの下側に配置されている他方の風向ボタンに対応する風向きとなるように下側の２つの上下ベーン１２ｃ、１２ｄが制御され、第６の風向ボタンおよび第７の風向ボタンのうちの左側に配置されている一方の風向ボタンに対応する風向きとなるように左側の２つの左右ベーン１１ａ、１１ｂが制御され、第６の風向ボタンおよび第７の風向ボタンのうちの右側に配置されている他方の風向ボタンに対応する風向きとなるように右側の２つの左右ベーン１１ｃ、１１ｄが制御される。
【００３６】
つぎに、お気に入りの登録動作について説明する。図４に示した操作装置４０では、ユーザが作成したスイング動作やワイド気流動作をお気に入りに登録することで、ユーザの操作性を向上させることができる。お気に入りボタン１９０は、お気に入りモードを呼び出したり、登録するためのボタンである。お気に入りボタン１９０を押し、その後に風向指定部１００を操作することで、任意のスイング、ワイド気流の動作を登録することができる。複数のお気に入りを登録できるようにする場合は、複数のお気に入りボタンを設けるようにしてもよい。
【００３７】
また、お気に入りボタン１９０と風速ボタン１８５〜１８８を使用して、複数のお気に入りを登録してもよい。この場合、お気に入りボタン１９０を押すたびに、風速ボタン１８５、１８６、１８７、１８８が順次点灯する。すなわち、お気に入りボタン１９０が押されると、風速ボタン１８５が点灯され、お気に入りボタン１９０が再度押されると、風速ボタン１８５が消灯（非発光）されかつ風速ボタン１８６が点灯され、お気に入りボタン１９０が再々度押されると、風速ボタン１８６が消灯されかつ風速ボタン１８７が点灯され、お気に入りボタン１９０が再々々度押されると、風速ボタン１８７が消灯されかつ風速ボタン１８８が点灯される。各風速ボタン１８５〜１８８が点灯しているときに、風向指定部１００を操作することで、４つの異なるお気に入りモードを登録することができる。
【００３８】
お気に入りを呼び出すときには、お気に入りボタン１９０を押すと、風速ボタン１８５〜１８８の何れかが点灯し、点灯された風速ボタンに対応して登録されているお気に入りの風向き状態が風向指定部１００に表示される。お気に入りの風向き状態は、登録されている風向ボタンに対応する発光素子が点灯されることによって表示される。表示されたお気に入りの気流を実行したいときには、点灯している風速ボタン１８５〜１８８を押せばよい。このように、お気に入りボタン１９０と風速ボタン１８５〜１８８とを組み合わせることで、風向のお気に入り登録及び呼び出し動作が実現できる。
【００３９】
人感センサ１５を用いた制御に関して説明する。人感センサ１５を用いた制御を実施している場合には、人を避ける、または人に当てるといった風向き制御により、個別の人に対して最適な温度を提供することが可能である。本実施の形態では、人を避ける風向き運転が行われているか、人に対して風を当てる風向き運転が行われているかを、風向指定部１００に表示する。図４の操作装置４０の風向自動ボタン１９１が押されかつ風避けボタン１９２が押されると、人を避けて風を送る風向自動運転モードとなる。このとき、風向指定部１００では、人のいる位置が例えば白色で表示され、この白色表示にされた風向ボタンを避けてスイング動作が行われていることが表示される。例えば、冷房であれば青色の発光素子で現在ベーンのある位置の風向ボタンを点滅させ、スイング予定コースを点灯させることで、人を避けてスイング動作をしていることを表示させることができる。冷房の場合は青色で、暖房の場合は赤色で、送風の場合は緑色など、運転モードによって表示色を変えてもよい。
【００４０】
また、図４の風速自動ボタン１９４が押されかつ風当てボタン１９３が押された場合は、人の位置を白色で表示し、その周りを運転モードごとの色で点滅させることで、風を当てている風向を示すことができる。複数の人がいる場合には、複数の位置で同様の表示を行うことで、順番に風当てをしていることをユーザに知らせることができる。さらに、複数の人がいるときに、人のいる白色の点灯のボタンを押すことで、風を当てる人を複数の人のなかから選択指定することができる。
【００４１】
熱画像の温度、大きさなどにより人を識別し、識別した人を追いかけて風当てをすることを表示することも可能である。操作装置４０は空気調和機１の本体正面に配置されているため、人が空気調和機に近づくと、風向指定部１００の全体に人の表示がなされる可能性がある。このため、人に関する表示は、一定時間ごとに更新することで、識別した人が空気調和機に近づいて白色に点灯されている風向ボタンを押して元の位置に戻るような動きをした場合でも、識別した人を追いかけることができる。
【００４２】
図８は、実施の形態に係る空気調和機１が有する検出部４１および制御部４５の機能がプロセッサによって実現される場合のプロセッサ８０を示す図である。つまり、検出部４１、および制御部４５の少なくとも一部の機能は、メモリ８１に格納されるプログラムを実行するプロセッサ８０によって実現されてもよい。プロセッサ８０は、ＣＰＵ（Central  Processing  Unit）、マイクロコンピュータ、処理装置、演算装置、マイクロプロセッサ、又はＤＳＰ（Digital  Signal  Processor）である。メモリ８１は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００４３】
以上説明したようにこの実施の形態では、空気調和機の吹き出し口１０、２０に対応するようにマトリックス配置された複数の風向ボタンによって空気調和機の風向きを指定している。すなわち、マトリックスの中央位置から左に配置された複数の風向ボタンが左方向への風向きを指定し、中央位置から右に配置された複数の風向ボタンが右方向への風向きを指定し、中央位置から左右方向への配置位置が離れるに伴い左右方向の風向き角度が大きくなり、中央位置から上に配置された複数の風向ボタンが上方向への風向きを指定し、中央位置から下に配置された複数の風向ボタンが下方向への風向きを指定し、中央位置からの上下方向への配置位置が離れるに伴い上下方向の風向き角度が大きくなるように、複数の風向ボタンと左右ベーン１１ａ〜１１ｄおよび上下ベーン１２ａ〜１２ｄの風向きとが対応付けられており、かかる対応付けに基づいて左右ベーン１１ａ〜１１ｄおよび上下ベーン１２ａ〜１２ｄの風向きが制御される。このため、この実施の形態では、現在の風の吹き出しが表示されなくてもユーザが希望する風向きを直感的に指定可能である。したがって、簡単かつ低コストの制御によって風向き制御を実現可能である。また、簡単かつ判りやすい操作で、スイング運転、ワイド気流を含む風向きを指定することが可能である。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  空気調和機、１０，２０  吹き出し口、１１ａ〜１１ｄ  左右ベーン、１２ａ〜１２ｄ  上下ベーン、１５  人感センサ、３０  筐体、４０  操作装置、４１  検出部、４５  制御部、８０  プロセッサ、８１  メモリ、１００  風向指定部、１０１〜１０５，１１１〜１１５，１２１〜１２５，１３１〜１３５，１４１〜１４５，１５１〜１５５，１６１〜１６５  風向ボタン、１８０  運転ボタン、１８１  冷房ボタン、１８２  暖房ボタン、１８３  送風ボタン、１８５〜１８８  風速ボタン、１９０  お気に入りボタン、１９１  風向自動ボタン、１９２  風避けボタン、１９３  風当てボタン、１９４  風速自動ボタン、３０１  パネル、３０２  電極、３０３  電気配線、３０４  発光素子、３０５  基板、３０６  フィルム。
【図１】
2020188771.tif 000003
【図２】
2020188771.tif 000004
【図３】
2020188771.tif 000005
【図４】
2020188771.tif 000006
【図５】
2020188771.tif 000007
【図６】
2020188771.tif 000008
【図７】
2020188771.tif 000009
【図８】
2020188771.tif 000010
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
上下方向および左右方向に風向きが切替可能な風向き切替部を有する吹き出し口と、
ユーザから見て左右方向である第１方向および前記第１方向に垂直であってユーザから見て上下方向である第２方向にマトリックス配列される複数の風向ボタンを有し、前記風向き切替部の風向きを指定する風向指定部を有する操作装置と、
前記マトリックスの前記第１方向の中央位置から左に配置された複数の風向ボタンが左方向への風向きを指定し、前記第１方向の中央位置から右に配置された複数の風向ボタンが右方向への風向きを指定し、前記第１方向の中央位置から前記第１方向への配置位置が離れるに伴い左右方向の風向き角度が大きくなり、前記第２方向の中央位置から上に配置された複数の風向ボタンが上方向への風向きを指定し、前記第２方向の中央位置から下に配置された複数の風向ボタンが下方向への風向きを指定し、前記第２方向の中央位置から前記第２方向への配置位置が離れるに伴い上下方向の風向き角度が大きくなるように、前記複数の風向ボタンと前記風向き切替部の風向きとが対応付けられ、前記風向ボタンが操作されると、前記対応付けに基づいて前記風向き切替部の風向きを制御する制御部と、
を備える空気調和機。
【請求項２】
前記制御部は、第１の風向ボタンから第２の風向ボタンを経由した第３の風向ボタンまでへのスライド操作を検出すると、前記第１の風向ボタンに対応する第１の風向きから前記第２の風向ボタンに対応する第２の風向き、前記第３の風向ボタンに対応する第３の風向き、前記第２の風向ボタンに対応する第２の風向きを経由して前記第１の風向ボタンに対応する第１の風向きまで前記風向き切替部の風向きを切り替える第１の動作を繰り返し実行する請求項１に記載の空気調和機。
【請求項３】
前記制御部は、第４の風向ボタンから第５の風向ボタンを経由した前記第４の風向ボタンまでへのスライド操作を検出すると、前記第４の風向ボタンに対応する第４の風向きから前記第５の風向ボタンに対応する第５の風向きを経由して前記第４の風向ボタンに対応する第４の風向きまで前記風向き切替部の風向きを切り替える第２の動作を繰り返し実行する請求項１または２に記載の空気調和機。
【請求項４】
前記風向き切替部は、上下方向に風向きの切替が可能な第１のベーンと、前記第１のベーンの下側に配置され、上下方向に風向きの切替が可能な第２のベーンと、左右方向に風向きの切替が可能な第３のベーンと、前記第３のベーンの右側に配置され、左右方向に風向きの切替が可能な第４のベーンとを有し、
前記制御部は、前記複数の風向ボタンのうちの２つのボタンである第６の風向ボタンおよび第７の風向ボタンの同時操作を検出すると、前記第６の風向ボタンおよび前記第７の風向ボタンのうちの上側に配置されている一方の風向ボタンに対応する風向きとなるように前記第１のベーンを制御し、前記第６の風向ボタンおよび前記第７の風向ボタンのうちの下側に配置されている他方の風向ボタンに対応する風向きとなるように前記第２のベーンを制御し、前記第６の風向ボタンおよび前記第７の風向ボタンのうちの左側に配置されている一方の風向ボタンに対応する風向きとなるように前記第３のベーンを制御し、前記第６の風向ボタンおよび前記第７の風向ボタンのうちの右側に配置されている他方の風向ボタンに対応する風向きとなるように前記第４のベーンを制御する請求項１から３の何れか一つに記載の空気調和機。
【請求項５】
前記複数の風向ボタンは、発光素子を夫々有し、操作に応じて対応する発光素子が発光と非発光とを切り替える請求項１から４の何れか一つに記載の空気調和機。
【請求項６】
人の存在を検出する人感センサを更に備え、
前記制御部は、前記複数の風向ボタンのうちの前記人感センサによって検出された人の位置に対応する風向ボタンである第８の風向ボタンに対応する発光素子を発光して人の位置を表示する請求項５に記載の空気調和機。
【請求項７】
前記操作装置によって人に対する送風を避ける風向き自動モードが指定されると、前記制御部は、前記第８の風向ボタンに対応する発光素子を発光して人の位置を表示し、表示された人の位置を避けて送風されている状態を前記複数の風向ボタン上に表示する請求項６に記載の空気調和機。
【請求項８】
前記操作装置によって人に対して送風するモードが指定されると、前記制御部は、前記第８の風向ボタンに対応する発光素子を発光して人の位置を表示し、表示された人の位置に向かって送風されている状態を前記複数の風向ボタン上に表示する請求項６または７に記載の空気調和機。
【請求項９】
前記制御部は、複数の前記第８の風向ボタンに対応する複数の発光素子が発光しているときに、複数の前記第８の風向ボタンのうちの１つである第９の風向ボタンが操作されると、前記第９の風向ボタンに対応する位置に対して送風するように前記風向き切替部を制御する請求項８に記載の空気調和機。
【請求項１０】
前記操作装置は、ユーザが指定した風向きを保存するためのお気に入りボタンを有する請求項１から９の何れか一つに記載の空気調和機。
【請求項１１】
前記吹き出し口、前記操作装置、および前記制御部が配置される室内機の筐体を有し、前記室内機の筐体は、床置き型であり、前記操作装置は、前記室内機の筐体の正面に設けられる請求項１から１０の何れか一つに記載の空気調和機。
【国際調査報告】
2020188771.tif 000011
2020188771.tif 000012
2020188771.tif 000013
2020188771.tif 000014